(57)【要約】【課題】屋根のケラバ部に設置される役物の上面を流れる水を屋根側に誘導して確実に落下させることにより、役物の軒側先端からの水の集中的な落下を効果的に抑制することができる水切部材を提供する。【解決手段】水切部材１は、屋根のケラバ部に屋根瓦の妻側端縁を覆うように配置されるケラバ片を有する役物に設けられる。この水切部材１は、前記ケラバ片の上面側に配置され、このケラバ片の上面を流動する水を屋根側へ誘導するガイド部２を備える。また水切部材１は、前記ケラバ片の下面を伝い流動する水を屋根瓦側へ落下させる排水部３を備える。【選択図】図１
2010106436.tif 000002
【特許請求の範囲】
【請求項１】
屋根のケラバ部に屋根瓦の妻側端縁の上方を覆うように配置されるケラバ片を有する役物に設けられる水切部材であって、
前記ケラバ片の上面側に配置され、このケラバ片の上面を流動する水を屋根側へ誘導するガイド部と、
前記ケラバ片の下面を伝い流動する水を屋根瓦側へ落下させる排水部とを備えることを特徴とする水切部材。
【請求項２】
前記ガイド部を備えると共に前記役物に取り付けられた状態でケラバ片の上面に沿って配置される上面部と、
前記排水部を備えると共に前記役物に取り付けられた状態でケラバ片の下面に沿って配置される下面部と、
前記上面部と下面部の屋根側端縁同士を接続し、弾性変形可能な接続部と、
前記接続部よりも妻側で上面部から下方に延出すると共に前記接続部との間の幅寸法がケラバ片の幅寸法と合致するように形成された係止部とを備えることを特徴とする請求項１に記載の水切部材。
【請求項３】
前記ケラバ片は、その屋根側端縁から下面側に折り返された裏面片が形成されており、
前記排水部が、前記裏面片の下方に配置されると共に、この排水部の幅方向寸法が、裏面片の幅方向寸法以上であることを特徴とする請求項１又は２に記載の水切部材。
【請求項４】
請求項２又は３に記載の水切部材を用いて、前記上面部と下面部との間にケラバ片の屋根側端縁に差し込み、前記係止部を前記ケラバ片の妻側端縁に係止させて、前記接続部と前記係止部とで挟持させることを特徴とする屋根のケラバ水切構造。
【発明の詳細な説明】
【技術分野】
【０００１】
本発明は、屋根のケラバ部に設置される役物における水切をおこなう水切部材、及び前記役物とは別体に形成された水切部材を役物に取り付けて構成される屋根のケラバ水切構造に関する。
【背景技術】
【０００２】
従来、建物の切妻屋根に屋根瓦１３を設置する際、屋根のケラバ部の仕舞いのために、ケラバ役物や破風化粧材等と呼ばれる役物４を設置している。
【０００３】
図２は、役物４を設置した屋根の一例を示すものである。この役物４は、最も妻側に設置された屋根瓦１３の更に妻側に配置される縦片１４と、この縦片１４の上端から屋根側に延出するケラバ片５とを備えている。縦片１４が野地等の屋根下地１５に固定されるなどして、前記役物４が屋根のケラバ部に固定されている。尚、この図２ではケラバ片５の一部を破断していると共に、屋根瓦１３の図示を一部を除いて省略している。この役物４のケラバ片５は、最も妻側に設置されている屋根瓦１３の妻側端縁の上方に間隔をあけて配置されている。
【０００４】
このような役物４を屋根のケラバ部に設置する場合には、役物４のケラバ片５の上面に雨水が伝い流れ、この雨水が役物４の軒側端部から下方に向けて集中的に流れ落ちやすくなるという問題がある。この場合、役物４の軒側端部の下方で水が大量に落下して地面を侵食したり、水滴の跳ね上がりにより建物の壁面の汚れが生じたりするおそれがある。
【０００５】
そこで、ケラバ部の役物４に、この役物４の上面を流れる水を屋根側に誘導するための水切部材１を取り付けることが行われている（特許文献１，２参照）。
【０００６】
図８は、役物４のケラバ片５の上面に取り付けられる水切部材１の従来例を示す。この水切部材１は上方に突出するガイド部２を備え、このガイド部２がケラバ片５の上面の一側端から他側端に亘る範囲に配置されている。ガイド部２は、妻側端部よりも屋根側端部の方が軒寄りに位置するように傾斜している。
【０００７】
このような水切部材１を設けると、ケラバ片５の上面を流れる水の流れがガイド部２で遮蔽されると共に、この水が屋根側に誘導されて、屋根瓦１３の上面に落下する。このため、水の流れが屋根瓦１３の上面で均された後に屋根の軒先から落下することとなって、水が集中的に落下するようなことがなくなり、また屋根の軒先に軒樋が設けられている場合には、軒樋を介して排水することができるようになる。また水切部材１を軒樋の妻側に取り付けることで、水切部材１から水を直接軒樋に誘導する場合もある。
【０００８】
しかし、このような水切部材１を設ける場合であっても、図中に矢印で示すようにガイド部２から屋根側に誘導された水がそのまま落下せずにケラバ片５の下面に回り込み、そのまま軒側に流れて役物４の軒側先端から落下することがある。このため、従来は役物４の軒側先端からの水の集中的な落下を充分に防ぐことができなかった。
【特許文献１】特開平７−２７９３２３号公報
【特許文献２】特開２００６−３４８４７７号公報
【発明の開示】
【発明が解決しようとする課題】
【０００９】
本発明は上記問題点に鑑みてなされたものであり、屋根のケラバ部に設置される役物の上面を流れる水を屋根側に誘導して確実に落下させることにより、役物の軒側先端からの水の集中的な落下を効果的に抑制することができる水切部材、及びこの水切部材が取り付けられた屋根のケラバ水切構造を提供することを目的とする。
【課題を解決するための手段】
【００１０】
本発明に係る水切部材１は、屋根のケラバ部に屋根瓦１３の妻側端縁の上方を覆うように配置されるケラバ片５を有する役物４に設けられる。この水切部材１は、前記ケラバ片５の上面側に配置され、このケラバ片５の上面を流動する水を屋根側へ誘導するガイド部２を備える。また水切部材１は、前記ケラバ片５の下面を伝い流動する水を屋根瓦１３側へ落下させる排水部３を備える。
【００１１】
このため、このような水切部材１が役物４に設けられると、ケラバ片５の上面を軒側に向かって流れる雨水等の水は、ガイド部２によって屋根側へ誘導され、ケラバ片５の屋根側端縁から落下する。またこの水がケラバ片５の屋根側端縁からケラバ片５の下面側に回り込んでも、この水は排水部３によって屋根瓦１３側へ落下する。このため、ケラバ片５の下面側に回り込んだ水はケラバ片５の軒側の先端まで到達することなく、屋根側に落下するようになる。
【００１２】
この水切部材１が、前記ケラバ片５を有する役物４とは別体に形成されている場合、この水切部材１は、前記ガイド部２を備えると共に前記役物４に取り付けられた状態でケラバ片５の上面に沿って配置される上面部６を備え、前記排水部３を備えると共に前記役物４に取り付けられた状態でケラバ片５の下面に沿って配置される下面部７を備え、前記上面部６と下面部７の屋根側端縁同士を接続し、弾性変形可能な接続部８を備え、更に前記接続部８よりも妻側で上面部６から下方に延出すると共に前記接続部８との間の幅寸法がケラバ片５の幅寸法と合致するように形成された係止部９を備えることが好ましい。
【００１３】
この場合、接続部８が弾性変形することで水切部材１をケラバ片５に容易に着脱することができるようになり、また水切部材１がケラバ片５に取り付けられた状態では、ケラバ片５の屋根側でケラバ片５が上面部６、接続部８及び下面部７で包み込まれると共に上面部６と下面部７とで挟持され、更にケラバ片５の妻側でケラバ片５の端縁に係止部９が係止されると共にこの係止部９と接続部８とでケラバ片５が軒棟方向と直交する方向に挟持されることで、水切部材１がケラバ片５に安定して取り付けられるようになる。
【００１４】
また、前記ケラバ片５に、その屋根側端縁から下面側に折り返された裏面片１０が形成されている場合に、水切部材１の前記排水部３が、前記役物４に取り付けられた状態で前記裏面片１０の下方に配置されると共に、この排水部３の幅方向寸法が、裏面片１０の幅方向寸法以上であることが好ましい。
【００１５】
この場合、ケラバ片５の下面に回り込んだ水は裏面片１０の下面のみを流動し、この水が全て、裏面片１０よりも幅広の排水部３に到達することとなって、ケラバ片５の下面側に回り込んだ水がケラバ片５の軒側の先端まで到達することが、より確実に阻止される。
【００１６】
また、本発明に係る屋根のケラバ水切構造は、上記水切部材１を用いて、前記上面部６と下面部７との間にケラバ片５の屋根側端縁に差し込み、前記係止部９を前記ケラバ片５の妻側端縁に係止させて、前記接続部８と前記係止部９とで挟持させることを特徴とする。
【発明の効果】
【００１７】
本発明によれば、屋根のケラバ部に設置される役物の上面を流れる水を、たとえ役物のケラバ片の下面への水の回り込みが生じたとしても、役物の軒側の先端に到達させることなく屋根側に誘導して、確実に落下させることができ、役物の軒側先端からの水の集中的な落下を効果的に抑制することができる。
【発明を実施するための最良の形態】
【００１８】
以下、本発明を実施するための最良の形態について説明する。
【００１９】
図１に水切部材１の一例を示す。この水切部材１は、ステンレス等の金属の板材に切断、折り曲加工等を施すことにより形成することができる。また、水切部材１は前記金属のほか、樹脂材料等の適宜の材質で形成することもできる。以下の説明における方向についての表記は、この水切部材１が、屋根に設置されている役物４に取り付けられた状態での方向を基準とし、図１（ａ）においては、左側が屋根側、右側が妻側、上側が棟側、下側が軒側、手前側が上側、奥側が下側となる。
【００２０】
この水切部材１は、上面部６、下面部７、接続部８及び係止部９を備える。
【００２１】
上面部６は平板状の上基部１１と、この上基部１１から上方に突出するガイド部２とを備える。上基部１１は屋根側及び妻側の各端縁が軒棟方向と平行に形成され、棟側の端縁はその妻側端部よりも屋根側端部の方が軒寄りに位置するように傾斜している。上基部１１の軒側の端縁は、軒棟方向と直交するように形成されている。ガイド部２は板状に形成され、また上基部１１の棟側の端縁から上方に突出するように形成されている。このためガイド部２は妻側端部よりも屋根側端部の方が軒寄りに位置するように傾斜している。このガイド部２は上端に折り返しを有する断面逆Ｕ字状に形成されている。
【００２２】
下面部７は、平板状の下基部１２と、この下基部１２の軒側の端縁から軒棟方向に対して軒側に向けて下り傾斜する方向に延出する排水部３とを備える。下基部１２は平面視矩形状に形成され、その屋根側端縁から妻側端縁に亘る幅寸法は、上基部１１よりも小さく形成されている。また、下基部１２の軒棟方向寸法は、上基部１１の屋根側端縁の軒棟方向寸法よりも小さく形成されている。排水部３は板状に形成されており、その屋根側端縁から妻側端縁に亘る幅寸法は下基部１２と同一である。この排水部３の、軒棟方向に対する下り傾斜角度αは適宜設定されるが、３０〜８０°の範囲が好ましい（図１（ｂ）、図７（ａ）参照）。
【００２３】
下面部７は上面部６の下方に配置され、下基部１２の軒側の端縁は上基部１１の軒側端縁の下方に位置すると共に、下基部１２の屋根側端縁は上基部１１の屋根側端縁の下方に位置している。この下基部１２の屋根側端縁と、上基部１１の屋根側端縁とが、接続部８で接続されている。接続部８は、上基部１１の屋根側端縁から屋根側へ延出し、下側から軒側へ折り返されて、下基部１２の屋根側端縁に接続している。この接続部８の軒棟方向寸法は、下基部１２の軒棟方向寸法と一致している。この接続部８は弾性変形可能に形成されている。例えば水切部材１がステンレス等の金属の板材で形成されていれば、接続部８は弾性変形可能に形成される。また、金属以外に、水切部材１が樹脂材料等の適宜の材質で形成されていても、この材質が一定の保形性を有すると共にある程度の弾性変形が可能であれば、接続部８は弾性変形可能に形成される。
【００２４】
係止部９は板状に形成されており、また上基部１１の妻側端縁から下方に延出するように形成されている。この係止部９と、接続部８との間の、軒棟方向と直交する方向の寸法は、後述するケラバ片５の軒棟方向と直交する方向の幅寸法と合致するように形成されている。
【００２５】
図２は、上記水切部材１が取り付けられる役物４及びこの役物４がケラバ部に設置されている屋根の構造の例を示す。この屋根は切妻屋根であり、役物４は、屋根における最も妻側に設置された屋根瓦１３の更に妻側に配置される縦片１４と、この縦片１４の上端から屋根側に延出するケラバ片５とを備えている。この役物４は、縦片１４を野地等の屋根下地１５に固定するなどして、屋根のケラバ部に固定する。尚、この図２ではケラバ片５の一部を破断していると共に、屋根瓦１３は一部を除いて図示を省略している。この役物４のケラバ片５は、屋根の上方で屋根側に向けて突出し、屋根の妻側端縁の上方に配置されることでこの屋根瓦１３の妻側端縁の上方を覆い、最も妻側に設置されている屋根瓦１３の妻側端縁の上方に間隔をあけて配置されている。ケラバ片５には、その屋根側端縁から下面側に折り返された裏面片１０が形成されている（図４参照）。この裏面片１０の、軒棟方向と直交する方向の幅寸法は、ケラバ片５全体の幅寸法よりも小さくなるように形成されている。また、水切部材１の下基部１２及び排水部３の、軒棟方向と直交する方向の寸法は、裏面片１０の幅寸法よりも大きくなるように形成される。
【００２６】
水切部材１は、上記のような役物４のケラバ片５に、図３に示すようにして取り付けられる。すなわち、まず水切部材１を屋根側からケラバ片５に近づけ（図３（ａ））、上基部１１と下基部１２との間に、ケラバ片５の屋根側端縁を差し込む（図３（ｂ））。このとき上基部１１の妻側を上方に引き上げることで接続部８を下基部１２に対して上基部１１が接続部８を中心に上方に回動するように弾性変形させる。このため、係止部９が邪魔になることなく、上基部１１と下基部１２との間にケラバ片５の屋根側端縁が差し込まれる。次に、上基部１１をケラバ片５の上面の上に配置し、係止部９をケラバ片５の妻側端縁の外側に位置させてケラバ片５に係止させる。
【００２７】
このようにして水切部材１をケラバ片５に取り付けると、図４に示すようにケラバ片５の屋根側でケラバ片５が上基部１１と接続部８及び下基部１２で包み込まれると共に上基部１１と下基部１２とで上下に挟持される。特に、上基部１１と下基部１２との間の隙間の上下寸法がケラバ片５の厚みより小さく形成されていると、接続部８の弾性復元力により、上基部１１と下基部１２でケラバ片５を挟持する力が大きくなる。またケラバ片５の妻側の端縁に係止部９が係止されると共にこの係止部９と接続部８とでケラバ片５が軒棟方向と直交する方向に挟持される。このため、水切部材１がケラバ片５に安定して取り付けられる。
【００２８】
また、このケラバ片５に取り付けられた水切部材１の上基部１１の妻側端縁を、接続部８を弾性変形させながら上方に引き上げることで、ケラバ片５への係止部３の係止を解除し、更にこの水切部材１を屋根側に移動させれば、水切部材１をケラバ片５から容易に取り外すこともできる。
【００２９】
このようにケラバ片５に対して水切部材１が着脱自在に形成されていると、水切部材１の取り付け位置の調整が容易となる。
【００３０】
また、接続部８が弾性を有するか否かにかかわらず、上基部１１と下基部１２との間の隙間の上下寸法を、ケラバ片５の厚み寸法よりも若干大きく形成していれば、水切部材１全体をその妻側端縁が上方に配置されるように傾けた状態で、上基部１１と下基部１２との間に、ケラバ片５の屋根側端縁を差し入れることができるようになり、このため、係止部９が邪魔になることなく、上基部１１と下基部１２との間にケラバ片５の屋根側端縁が差し入れることができる。次いで、水切部材１全体の傾斜を元に戻すことで上基部１１をケラバ片５の上面の上に配置すると共に係止部９をケラバ片５の妻側端縁の外側に位置させてケラバ片５に係止させることで、水切部材１をケラバ片５に取り付けることができる。この場合でも、ケラバ片５の妻側でケラバ片５の端縁に係止部９が係止されると共にこの係止部９と接続部８とでケラバ片５が軒棟方向と直交する方向に挟持されるため、水切部材１がケラバ片５に充分に安定して取り付けられる。また、ケラバ片５に取り付けられた水切部材１をその妻側端縁が上方に配置されるように傾けることで上基部１１の妻側端縁を上方に引き上げて、ケラバ片５への係止部３の係止を解除し、更に水切部材１を屋根側に移動させれば、水切部材１をケラバ片５から容易に取り外すこともできる。
【００３１】
尚、水切部材１を所望の位置に取り付けた後は、この水切部材１とケラバ片５とを接着したり、ビス等の固着具を打入したりすることで、水切部材１をケラバ片５に強固に固定するようにしてもよい。
【００３２】
また、上記のようにケラバ片５に水切部材１が取り付けられると、ガイド部２はケラバ片５の上面から上方に突出するようにして、ケラバ片５の妻側の端縁から屋根側の端縁に亘って配置され、且つこのガイド部２は妻側端部よりも屋根側端部の方が軒寄りに位置するように傾斜する。また、排水部３は、ガイド部２の位置よりも軒側において、ケラバ片５の下面からケラバ片５に対して軒側に向けて斜め下方に傾斜するように配置される。また下基部１２及び排水部３は、ケラバ片５の裏面片１０の下方に配置され、下基部１２及び排水部３の妻側端縁は裏面片１０の妻側端縁よりも妻側に突出している。
【００３３】
このような水切部材１は、図５に示すように、屋根瓦１３に対する妻側の位置であってケラバ片５の軒側の先端付近に取り付けることが好ましい。また、この屋根の軒先に軒樋が設けられる場合には、水切部材１を軒樋に対する妻側の位置に取り付けてもよい。
【００３４】
このようにしてケラバ片５に水切部材１が取り付けられると、図６に矢印で示すように、ケラバ片５の上面を軒側に向かって流れる雨水等の水は、ガイド部２によって塞き止められると共に、このガイド部２の傾斜に沿って屋根側へ誘導される。このとき、水は妻側に落下することがなく、そのため、建物の妻側の破風や壁等に雨筋汚れが生じることが防止される。屋根側に流れた水は、ケラバ片５の屋根側端縁から屋根側に落下するが、このケラバ片５の屋根側端縁からケラバ片５の下面側に回り込むこともある。しかし、前記のような水の回り込みが生じても、ケラバ片５の下面を伝い流動する水は下基部１２の下面に沿って流れて排水部３まで到達し、この排水部３の下面に沿って流れて、排水部３の軒側端部から下方に向けて、屋根瓦１３側へ落下する。また、この水がケラバ片５の下面と下基部１２との間に浸入しても、排水部３に到達するとこの排水部３の上面に沿って流れて、排水部３の軒側端部から下方に向けて、屋根瓦１３側へ落下する。このため、ケラバ片５の下面側に回り込んだ水はケラバ片５の軒側の先端まで到達することなく、屋根側に落下することとなる。
【００３５】
また、本実施形態では、ケラバ片５の裏面片１０は、この裏面片１０よりも妻側部分よりも下方に突出していることで、ケラバ片５の下面に回り込んだ水が前記裏面片１０よりも妻側へ移動することを阻止する機能を発揮する。このため、ケラバ片５の下面を流動する水は裏面片１０の下面のみを伝い流動し、この水が全て、裏面片１０よりも幅広の排水部３に到達することとなって、ケラバ片５の下面側に回り込んだ水がケラバ片５の軒側の先端まで到達することが、より確実に阻止されている。
【００３６】
このような水切部材１が、特に図５に示すようにケラバ片５の軒側の先端付近に取り付けられていると、ケラバ片５の上面を流動する水の殆どを屋根側に落とし込むことができる。また、屋根の軒先に軒樋が設けられる場合において、水切部材１を軒樋に対して妻側に取り付れば、水切部材１によって屋根側に落とし込まれた水を直接軒樋に落下させることもできる。
【００３７】
水切部材１の具体的な構成は上記実施形態には限られない。例えば上記実施形態ではガイド部２は折り返しを有する断面Ｕ字状に形成されているが、折り返しのない形状であってもよく、また断面コ字状の折り返しを有する形状であっても良い。
【００３８】
また、本実施形態では裏面片１０を有するケラバ片５に対して水切部材１を取り付けているが、裏面片１０を有さないケラバ片５に取り付けられてもよく、またその場合、下基部１２及び排水部３の幅寸法を、ケラバ片５の幅寸法に合致させることにより、ケラバ片５の下面側に回り込んだ水を排水部３で確実に落下させるようにしてもよい。
【００３９】
また、排水部３の形状は、ケラバ片５の上面を流れてきた水やガイド部２によって誘導された水などが、ケラバ片５の下面に回り込んだりして、ケラバ片５の下面を伝い流動する水を屋根瓦１３側へ落下させる機能を排水部３が発揮する限り、本実施形態には限定されない。すなわち本実施形態では排水部３はケラバ片５のガイド部２よりも軒側の下面側に配置されているが、例えばガイド部２と排水部３の軒棟方向の位置が一致していることも、ケラバ片５の下面を伝い流動する水を屋根瓦１３側へ落下させるのであれば、許容される。また、本実施形態では図７（ａ）に示すように排水部３はケラバ片５に対して軒側に向けて斜め下方に傾斜するように形成されているが、図７（ｂ）に示すようにケラバ片５と直交する下方向に向けて突出する形状や、図７（ｃ）に示すようにケラバ片５に対して棟側に向けて下り傾斜する形状などのように、ケラバ片５の下面から突出する適宜の形状に形成することもできる。この場合もケラバ片５の下面を伝い流動する水を屋根瓦１３側へ落下させることができる。
【００４０】
また、本実施形態ではガイド部２と排水部３とが一つの部材に形成され、この一つの部材で水切部材１が構成されているが、ガイド部２を有する部材と、排水部３を有する部材とをそれぞれ別体に形成し、この一組の部材で水切部材１を構成してもよい。
【００４１】
また、ケラバ片５を有する役物４も、本実施形態には限られず、屋根のケラバ部に設置される役物４であって、屋根の妻側端縁の上方に配置され屋根瓦１３の妻側端縁の上方を覆うように配置されるケラバ片５を有するものであればよい。例えば、この役物４は屋根のケラバ部の仕舞いのみを行う役物４であってもよく、また、ケラバ部を仕舞う役物と破風とが一体となった一体型の役物４であってもよい。
【００４２】
また、本実施形態では、ケラバ片５を有する役物４に設けられる水切部材１はケラバ片５を有する役物４とは別体に形成されているが、水切部材１が前記役物４と一体に形成されていてもよい。例えば役物４のケラバ片５にガイド部２及び排水部３を一体的に形成するなどして、ケラバ片５を有する役物４自体を、水切部材１として形成してもよい。
【図面の簡単な説明】
【００４３】
【図１】本発明の実施の形態の一例を示すものであり、（ａ）は水切部材の平面図、（ｂ）は（ａ）の側面図、（ｃ）は（ａ）の正面図、（ｄ）は（ａ）のＡ−Ａ断面図である。
【図２】図１に示される水切部材が取り付けられる役物及びこの役物が設置されている屋根を示す、一部破断及び省略した斜視図である。
【図３】（ａ）乃至（ｃ）は、図１に示す水切部材を役物へ取り付ける工程を示す斜視図である。
【図４】図１に示す水切部材が役物に取り付けられた状態を示す要部断面図である。
【図５】図１に示す水切部材が役物に取り付けられた状態を示す、一部省略した斜視図である。
【図６】図１に示す水切部材が役物に取り付けられた場合における水の流動方向を示す斜視図である。
【図７】（ａ）は図１に示す水切部材が役物に取り付けられた状態を示す一部の側面図であり、（ｂ）及び（ｃ）は他の実施形態における水切部材が役物に取り付けられた状態を示す一部の側面図である。
【図８】従来技術の一例を示す斜視図である。
【符号の説明】
【００４４】
１    水切部材
２    ガイド部
３    排水部
４    役物
５    ケラバ片
６    上面部
７    下面部
８    接続部
９    係止部
１０  裏面片
１３  屋根瓦
【図１】
2010106436.tif 000003
【図２】
2010106436.tif 000004
【図３】
2010106436.tif 000005
【図４】
2010106436.tif 000006
【図５】
2010106436.tif 000007
【図６】
2010106436.tif 000008
【図７】
2010106436.tif 000009
【図８】
2010106436.tif 000010